(57)【要約】      （修正有）【課題】理美容における作業性を向上できる理美容用クロスを提供する。【解決手段】理美容用クロス１０は、襟部２から着用者の肩以下に垂下される布状のクロス本体１と、クロス本体１を着用者が装着した状態で、着用者の前面でクロス本体１を閉じる閉止部１３と、カット等の際に、着用者の髪の長さや範囲、形状を示すヘアダイアグラム２ａとを備える。ヘアダイアグラム２ａは、クロス本体１を着用者が装着した状態で、着用者の背面に襟部２からの長さ又は襟部２を起点とする形状を示す目盛又は図形を表示した部分であり、クロス本体１の表面に印刷などによって描かれている。【選択図】図１
0003204308.tif 000002
【実用新案登録請求の範囲】
【請求項１】
着用者の首から少なくとも肩を含む身体を覆うように着用される理美容用クロスであって、
襟部から前記着用者の肩以下に垂下される布状のクロス本体と、
前記クロス本体を着用者が装着した状態で、前記着用者の前面で前記クロス本体を閉じる閉止部と、
前記クロス本体を着用者が装着した状態で、前記着用者の背面における襟部に配置されるアタッチメント部と
を備えることを特徴とする理美容用クロス。
【請求項２】
前記アタッチメント部は、前記クロス本体を着用者が装着した状態で、前記着用者の背面に襟部分からの長さ又は前記襟部分を起点とする範囲を示す目盛又は図形を表示するヘアダイアグラムである
ことを特徴とする請求項１に記載の理美容用クロス。
【請求項３】
前記アタッチメント部は、前記クロス本体に着脱される保護部材であって、
前記理美容用クロスの襟部分から、柔軟性を有する面部材が垂下される保護部と、
前記保護部の下端部分に表裏を貫通する多数の開口と
を備えることを特徴とする請求項１又は２に記載の理美容用クロス。
【請求項４】
前記保護部の周縁部分には、可塑変形素材で形成されたワイヤー状部材が挿通されており、前記ワイヤー状部材によって、前記面部材が湾曲されて、前記保護部の下端にポケット部を形成可能となっていることを特徴とする請求項３に記載の理美容用クロス。
【請求項５】
前記アタッチメント部は、クロス本体の襟部分内にその一端が連結され、クロス本体内において他端が引き出し可能に折り畳まれて収納される、柔軟性を有する面部材で形成された布部をさらに備えることを特徴とする請求項１乃至４のいずれかに記載の理美容用クロス。
【請求項６】
前記面部材には、前記ヘアダイアグラムの一部を構成する目盛又は図形が表示されていることを特徴とする請求項３又は５に記載の理美容用クロス。
【請求項７】
前記クロス本体の脇下部分に通気部をさらに有することを特徴とする請求項１乃至５のいずれかに記載の理美容用クロス。
【請求項８】
前記通気部は、メッシュ素材で形成されていることを特徴とする請求項７に記載の理美容用クロス。
【請求項９】
前記通気部は、スリットであることを特徴とする請求項７に記載の理美容用クロス。
【考案の詳細な説明】
【技術分野】
【０００１】
本考案は、カットクロスやシャンプークロス、パーマクロス、カラークロスなど、理容・美容の分野において、着用者の上半身を覆うように着用される理美容用クロスに係り、特に、理美容の作業性を向上させる理美容用クロスに関する。
【背景技術】
【０００２】
従来、理美容の業界では、カットやカラーリングなどの作業に際し、カットする髪の長さや形状、染める範囲などは、美容師の経験と勘に基づいた目分量により測られていた。また、一般的な理美容用クロスは、防水性の又は髪の付着しにくい布地の上部中央に、首を通すための開口部を設け、その開口部の周縁にテープ状布を縫着して襟部とし、その襟部の両端に、面ファスナー等の留め具を付けて構成される（例えば、特許文献１）。
【先行技術文献】
【特許文献】
【０００３】
【特許文献１】特開平９−１３３７５１号公報
【考案の概要】
【考案が解決しようとする課題】
【０００４】
しかしながら、上述したように髪の長さを目分量で正確に測りながらカット等の作業を行うには十分な経験と熟練が必要であった。
【０００５】
そこで、本考案は、上記のような問題を解決するものであり、理美容における作業性を向上できる理美容用クロスを提供することを目的とする。
【課題を解決するための手段】
【０００６】
上記課題を解決するために、本考案は、着用者の首から少なくとも肩を含む身体を覆うように着用される理美容用クロスであって、前記襟部から前記着用者の肩以下に垂下される布状のクロス本体と、前記クロス本体を着用者が装着した状態で、前記着用者の前面で前記クロス本体を閉じる閉止部と、前記クロス本体を着用者が装着した状態で、前記着用者の背面における襟部に配置されるアタッチメント部とを備えることを特徴とする。
【０００７】
このアタッチメント部としては、前記クロス本体を着用者が装着した状態で、前記着用者の背面に襟部分からの長さ又は前記襟部分を起点とする形状を示す目盛又は図形を表示するヘアダイアグラムとすることができる。
【０００８】
このような考案によれば、クロス本体の背面にあたる部分に、髪の長さ又は襟部分を起点とする範囲を示す目盛又は図形を示すヘアダイアグラムが描かれているため、このヘアダイアグラムの目盛や図形を基準としながらカットやカラーリングなどの作業を行うことができ、高度な経験や熟練を要することなく、正確にカットする長さや染める範囲を見定めることができる。このとき、クロス本体は、着用者の前面で閉じる構成となっているため、クロス本体を留める閉止部が着用者の前面に配置されており、閉止部がヘアダイアグラムを目視する際の妨げにならず、作業性を確保することができる。
【０００９】
また、上記考案では、前記アタッチメント部を、前記アタッチメント部は、前記クロス本体に着脱される保護部材とすることができ、この保護部材は、前記理美容用クロスの襟部分から、柔軟性を有する面部材が垂下される保護部と、前記保護部の下端部分に表裏を貫通する多数の開口と前記保護部の下端部分に表裏を貫通する多数の開口とを備えることが好ましい。この場合には、保護部で、クロス本体を覆うことにより、シャンプーで濡れた髪やカラーリングされた髪がクロス本体に直接付着するのを防ぐことができる。これにより、カラーリング剤などによりヘアダイアグラムが見づらくなるのを防止できる。また、保護部には表裏を貫通する開口が形成されているため、洗面台などで着用者の髪を洗う際に、保護部を洗面台のシンク内に敷き込んだとき、洗髪のための水が開口を通じて保護部とシンク表面との間を流れることとなり、保護部がシンク表面に密着してしまうのを回避できる。
【００１０】
上記考案では、前記保護部の周縁部分に、可塑変形素材で形成されたワイヤー状部材が挿通されており、前記ワイヤー状部材によって、前記面部材が湾曲されて、前記保護部の下端にポケット部を形成可能となっていることが好ましい。この場合には、保護部の下端にポケット部を形成することにより、カットにより生じた髪の毛を受けることができる。
【００１１】
上記考案では、前記クロス本体の襟部分内にその一端が連結され、クロス本体内において他端が引き出し可能に折り畳まれて収納される、柔軟性を有する面部材で形成された布部をさらに備えることが好ましい。この場合には、布部を折り畳んで収納しておくことにより、折り畳んだ布部がクロス本体と着用者の首元の間に位置されることとなり、カットされた髪の毛が着用者に接触するのを防止できる。この際、ショートヘアなどのカットの際、カットされた髪の毛が首元に入り込んでも、布部を引き出すことによって、入り込んだ髪の毛を素早く排除できる。
【００１２】
上記考案において、前記面部材には、前記ヘアダイアグラムの一部を構成する目盛又は図形が表示されていることが好ましい。この場合には、保護部や布部が垂下されることによって、ヘアダイアグラムが隠れてしまうような場合でも、ダイアグラムの目盛や図形を目視することができ、作業性を低下させることなく、装着者の装着感を向上させることができる。
【００１３】
前記クロス本体の脇下部分に通気部を有することが好ましい。この通気部としては、メッシュ素材で形成したり、スリットで形成することができる。この場合には、クロス本体の通気性を確保することができ、装着性を向上させることができる。
【考案の効果】
【００１４】
以上説明したように、本考案によれば、理美容におけるカットやカラーリングに際し、髪の長さや範囲を示すヘアダイアグラムをクロス本体の背面に描くとによって、このヘアダイアグラムを基準としながら作業を行うことができ、高度な経験や熟練を要することなく、正確にカットする長さや染める範囲を見定めることができる。この結果、装着性を向上させつつ、理美容における作業性を向上できる。
【図面の簡単な説明】
【００１５】
【図１】第１実施形態に係る理美容クロスの全体構成を示す斜視図であり、（ａ）は正面図であり、（ｂ）は背面図である。
【図２】第１実施形態の変更例に係る理美容クロスの全体構成を示す説明図であり、（ａ）は変更例１の背面図であり、（ｂ）は変更例２の背面図である。
【図３】第１実施形態の変更例に係る理美容クロスの全体構成を示す平面図である。
【図４】第１実施形態の変更例に係る理美容クロスの全体構成を示す平面図である。
【図５】第１実施形態の変更例に係る理美容クロスを示す説明図であり、（ａ）は斜視図、（ｂ）は平面図である。
【図６】第２実施形態に係る理美容クロスの全体構成を示す説明図であり、（ａ）は背面図であり、（ｂ）は変更例に係る理美容クロスの背面図である。
【図７】第２実施形態に係る理美容クロスの使用状態を示す説明図であり、
【図８】第２実施形態の変更例に係る理美容クロスの全体構成を示す説明図であり、（ａ）は変更例の背面図であり、（ｂ）は他の変更例の背面図である。
【図９】第３実施形態に係る理美容クロスの全体構成を示す説明図であり、（ａ）は襟元のみを示す斜視図であり、（ｂ）は背面図である。
【図１０】第３実施形態に係る理美容クロスの使用状態を示す説明図である。
【図１１】実施形態に係る保護部材の変更例を示す説明図である。
【考案を実施するための形態】
【００１６】
［第１実施形態］
本考案に係る理美容用クロスの実施形態を詳細に説明する。図１（ａ）及び（ｂ）は、本実施形態に係るクロスの全体構成を示す斜視図であり、図２（ａ）及び（ｂ）は、クロスの全体構成を示す正面図である。なお、本実施形態において、図１に示すようにクロスを着用した際、外側に向けられる面を表面と称し、内側に向けられ、着用者と接触する側の面を裏面と称するものとする。
【００１７】
なお、以下に示す実施の形態は、この考案の技術的思想を具体化するための装置等を例示するものであって、この考案の技術的思想は、各構成部品の材質、形状、構造、配置等を下記のものに特定するものでない。この考案の技術的思想は、実用新案登録請求の範囲において、種々の変更を加えることができる。
【００１８】
ここで、本実施形態では、クロスとして洗髪用のシャンプークロスを例に説明するが、本考案は、これに限定するものではなく、理容・美容の分野において、カット時、パーマ時、毛染めの際に、着用者の上半身を覆うように着用される理美容用の各種のクロスに用いることができ、例えば、カットクロスやシャンプークロス、パーマクロス、カラークロス、補助カットクロス、タオル替わりに用いられる肩ケープクロスなどが挙げられる。
【００１９】
本実施形態において、理美容用クロス１０は、襟部２から着用者の肩以下に垂下される布状のクロス本体１と、クロス本体１を着用者が装着した状態で、着用者の前面でクロス本体１を閉じる閉止部１３と、カット等の際に、着用者の髪の長さや範囲、形状を示すアタッチメント部としてのヘアダイアグラム２ａ〜２ｄとを備える。
【００２０】
クロス本体１は、ビニール等の可撓性部材で形成され、前面で、上前と下前を合わせて閉止する着物状の服である。なお、このクロス本体１の形は前合わせの形態であれば種々の変更を行うことができ、例えば、図３に示すように、裾部分をフラット形状にしたり（図中１１ａ）、ラウンド形状としたり（図中１１ｂ）することができる。
【００２１】
閉止部１３は、着用者の前面でクロス本体１の上前と下前とを閉じて固定する部材であり、クロス本体１の両方に一対となって設けられており、例えば、磁石や面ファスナー等で構成される。
【００２２】
そして、ヘアダイアグラム２ａ〜２ｄは、クロス本体１を着用者が装着した状態で、着用者の背面に襟部２からの長さ又は襟部２を起点とする形状を示す目盛又は図形を表示した部分であり、クロス本体１の表面に印刷などによって描かれている。このヘアダイアグラム２ａとしては、例えば、図１（ｂ）に示すように、垂直方向に引かれた線上に目盛（１ｃｍ、３ｃｍ、５ｃｍ、１０ｃｍ刻み等）を振ったものでもよく、スクエアカットやＶカットのように、カットする髪型に応じて、矩形（図２（ａ）中の１ｂ）や、Ｖ字（図２（ｂ）中の１ｃ）、半円のような図形を、その髪の長さや範囲、形状に応じて段階的に変化させて描いてもよい。また、図３中に１ｄで示すように、これらの矩形や、Ｖ字、半円のような図形を複数種、サイズを変えて組み合わせてもよい。
【００２３】
（作用・効果）
このような本実施形態によれば、クロス本体１の背面にあたる部分に、髪の長さ又は範囲を示すヘアダイアグラム２ａ〜２ｄが描かれているため、このヘアダイアグラム２ａ〜２ｄの目盛や図形を基準としながらカットやカラーリングなどの作業を行うことができ、高度な経験や熟練を要することなく、正確にカットする長さや染める範囲を見定めることができる。このとき、クロス本体１は、着用者の前面で閉じる構成となっているため、クロス本体１を留める閉止部１３が装着者の前面に配置されており、閉止部１３がヘアダイアグラムを目視する際の妨げにならず、作業性を確保することができる。
【００２４】
（変更例）
なお、上述した実施形態の説明は、本考案の一例である。このため、本考案は上述した実施形態に限定されることなく、本考案に係る技術的思想を逸脱しない範囲であれば、設計等に応じて種々の変更が可能である。例えば、図４及び図５に示すように、クロス本体１の脇下部分に通気部３を設けてもよい。この通気部３としては、図４（ａ）に示すように、袖部分１ａの下部分から脇下、脇下から裾までの範囲をメッシュ素材で形成したり、図５に示すように、脇下部分４ａから裾部分に掛けて切り込まれたスリット４で形成することができる。この場合には、クロス本体の通気性を確保することができ、装着性を向上させることができる。なお、スリット４には、ボタンや面ファスナー等の連結用部材４ｂを取付けることができる。このような通気部３を設けることにより、クロス本体１内の通気性を確保することができ、装着性を向上させることができる。
【００２５】
なお、本変更例では、襟部２に紐１２を通す経路となる挿通部１１を設け、紐１２の両端を緊結する緊結部１２ａを設けることによって、上間、下前をきつく締めることができ、より髪の毛の進入等を防ぐようにしている。なお、この襟部２は、例えば図１２（ｂ）又は図１２（ｃ）に示すように、紐１２の一部を伸縮性・弾力性のあるゴム１２ｂとしたり、紐１２の全部を１２ｃとし、襟元のフィット感を高めるようにいしてもよい。
【００２６】
［第２実施形態］
次いで、本考案に係る理美容用クロスの第２実施形態を詳細に説明する。図６は、本実施形態に係る理美容クロスの全体構成を示す説明図であり、（ａ）は背面図であり、（ｂ）は変更例に係る理美容クロスの背面図である。図７は、本実施形態に係る理美容クロスの使用状態を示す説明図である。なお、本実施形態において、上述した実施形態と同一の構成要素には同一の符号を付し、その機能等は特に言及しない限り同一であり、その説明は省略する。
【００２７】
本実施形態では、図６（ａ）に示すように、上述した第１実施形態の構成に加えて、クロス本体１の襟部２から、柔軟性を有する面部材が垂下されるアタッチメント部としての保護部５を設けている。この保護部５は、クロス本体１を覆うように、肩から背中にかけて垂下されている。この保護部５としては、ポリエステルやウレタン、その他の合成樹脂を用いることができる。なお、この保護部５は、主として装着者の背中側を保護するものであるが、装着者の前側も覆うような形状としてもよい。
【００２８】
また、本実施形態では、図６に示すように、保護部５を構成する面部材に、ヘアダイアグラムの一部を構成する目盛又は図形が表示されている。なお、本実施形態では、保護部５の表面にダイアグラムの一部である目盛を印刷等により表示するようにしたが、本考案はこれに限定されるものではなく、例えば、保護部５を透明な部材で形成し、下のクロス本体１に表記されたヘアダイアグラム２ａ〜２ｄが透けて見えるようにしてもよい。
【００２９】
本実施形態においてこの保護部５には、図６（ｂ）に示すように、その下端部分に表裏を貫通する多数の開口５ａを設けることができる。この開口５ａを設けることにより、図７に示すように、洗面台のシンク８で着用者の髪を洗う際に、保護部５をシンク８内に敷き込むようにする。これにより、洗髪のための水が開口を通じて保護部５とシンク８底面との間を流れるようになる。
【００３０】
さらに、図８（ａ）及び（ｂ）に示すように、保護部５の周縁部分に、可塑変形素材で形成されたワイヤー状部材５２が挿通されており、このワイヤー状部材５２によって、保護部５の部材が湾曲されて、保護部５の下端にポケット部５１が形成可能となっている。この場合には、保護部５の下端にポケット部５１を形成することにより、カットにより生じた髪の毛を受けることができる。また、図８（ｂ）に示すように、ポケット部５１にも上述した開口５ａを設けることにより、図７に示したようなシャンプー時に、開口５ａを通じてポケット部５１内の水を排出することができ、作業性をより向上させることができる。
【００３１】
（作用・効果）
この場合には、保護部５で、クロス本体１を覆うことにより、シャンプーで濡れた髪やカラーリングされた髪がクロス本体１に直接付着するのを防ぐことができる。これにより、カラーリング剤などによりヘアダイアグラム２ａ〜２ｄが見づらくなるのを防止できる。
【００３２】
また、本実施形態では、図６に示すように、保護部５を構成する面部材に、ヘアダイアグラムの一部が表示されているため、保護部５が垂下されることによって、ヘアダイアグラム２ａ〜２ｄが隠れてしまうような場合でも、ヘアダイアグラム２ａ〜２ｄの目盛や図形を目視することができ、作業性を低下させることなく、装着者の装着感を向上させることができる。
【００３３】
さらに、本実施形態では、保護部５には表裏を貫通する開口５ａが形成されているため、洗面台などで着用者の髪を洗う際に、保護部５を洗面台のシンク８内に敷き込んだとき、洗髪のための水が開口を通じて保護部５とシンク８表面との間を流れることとなり、保護部５が水で濡れてシンク８表面に密着してしまうのを回避できる。
【００３４】
［第３実施形態］
次いで、本考案に係る理美容用クロスの第３実施形態を詳細に説明する。図９は、本実施形態に係る理美容クロスの全体構成を示す説明図であり、（ａ）は襟元のみを示す斜視図であり、（ｂ）は背面図である。また、図１０は、本実施形態に係る理美容クロスの使用状態を示す説明図である。なお、本実施形態において、上述した実施形態と同一の構成要素には同一の符号を付し、その機能等は特に言及しない限り同一であり、その説明は省略する。
【００３５】
本実施形態では、図９及び図１０に示すように、上述した第１又は第２実施形態の構成に加えて、クロス本体１の襟部２内にその一端６ａが連結され、クロス本体１内から他端６ｂが引き出し可能に折り畳まれて収納される布部６を、アタッチメント部としてさらに備えている。
【００３６】
この布部６は、タオルやガーゼ等、柔軟性を有する面部材で形成された部材である。この布部６は、カット開始前に、他端６ｂ側を折り畳んで襟部２内に収納しておくことにより、折り畳んだ布部６がクロス本体１と着用者の首元の間に位置されるようになっている。また、カット作業を開始し、カットされた髪の毛が首元に入り込んでも、他端６ｂ側を引っ張って、折り畳んであった布部６を引き出せるようになっている。
【００３７】
なお、本実施形態において布部６の面部材には、ヘアダイアグラム２ａ〜２ｄの一部を構成する目盛又は図形が表示されている。これにより、布部６が垂下されることによって、ヘアダイアグラムが隠れてしまうような場合でも、ダイアグラムの目盛や図形を目視することができ、作業性を低下させることなく、装着者の装着感を向上させることができる。
【００３８】
（作用・効果）
本実施形態によれば、布部６を折り畳んで収納しておくことにより、折り畳んだ布部６がクロス本体１と着用者の首元の間に位置されることとなり、カットされた髪の毛が着用者に接触するのを防止できる。この際、ショートヘアなどのカットの際、カットされた髪の毛が首元に入り込んでも、布部６を引き出すことによって、入り込んだ髪の毛を素早く排除できる。
【００３９】
［変更例］
なお、上記各実施形態において、保護部５は、クロス本体１から着脱可能であり、クロス本体１とは別個独立して流通・販売され、他のクロス製品と組み合わせて用いることもできる。この保護部５としては、ポケット部５１やワイヤー状部材５２のみを備えてもよく（図１１（ａ））、これに多数の開口５ａを追加したり（同図（ｂ））、ヘアダイアグラム２ａを表示させてもよく（同図（ｃ））、療法を備えさせてもよい（同図（ｄ））。さらには、これらポケット部５１、ワイヤー状部材５２、開口５ａ、ヘアダイアグラム２ａを適宜組み合わせたり、省略することができる（同図（ｅ）又は（ｆ））。
【符号の説明】
【００４０】
１…クロス本体
１ａ…袖部分
１３…閉止部
２…襟部
２ａ〜２ｄ…ヘアダイアグラム
３…通気部
４…スリット
４ａ…脇下部分
４ｂ…連結用部材
５…保護部
５ａ…開口
６…布部
６ａ…一端
６ｂ…他端
８…シンク
１０…理美容用クロス
１１…挿通部
１１ａ，１１ｂ…裾部分形状
１２…紐
１２ａ…緊結部
５１…ポケット部
５２…ワイヤー状部材
【図１】
0003204308.tif 000003
【図２】
0003204308.tif 000004
【図３】
0003204308.tif 000005
【図４】
0003204308.tif 000006
【図５】
0003204308.tif 000007
【図６】
0003204308.tif 000008
【図７】
0003204308.tif 000009
【図８】
0003204308.tif 000010
【図９】
0003204308.tif 000011
【図１０】
0003204308.tif 000012
【図１１】
0003204308.tif 000013